(57)【特許請求の範囲】
【請求項１】
適当形状に成るフード体の周縁段部に囲まれた内側部に，中央に開口部を設けたフード体取付板を固着し、このフード体取付板の開口部周囲にはフード体方向に曲折し、円弧面を形成する鍔縁部とこの鍔縁部に全周にわたり適当間隔をおいて鍔縁部の曲折方向より内側斜め立上り角度に成る発条爪を設けて排気管の外周面部に当接せしめるようにし、排気管とフード体取付板の開口部の内周縁との間に前記鍔縁部及び発条爪を含めて形成された間隙部分にコーキングを施し、前記フード体取付板の外壁面側の適当位置にフード体の周縁段部と同高に成る凸起部を設け、前記周縁段部と凸起部の各端面部を外壁面に圧接せしめるように成ることを特徴とする換気口。
【発明の詳細な説明】
【技術分野】
【０００１】
本発明は、建物用の換気口に関するもので、特に外壁を貫通する排気管とフード体との取付け構造に関するものである。
【背景技術】
【０００２】
従来、屋内と屋外とを外壁を隔して連通する排気管にフード体を連結する手段としては、例えば、特許第３１３５２０８号や特開２０００−１２０９３８、同２００２−８１７０８、同２００２−１３０７５７、同２００３−２０２１４３、同２００４−１２０８６などの技術が知られているが、排気管には外径寸法の異なるものが数種類ある（現在のＪＩＳでは、ＶＰ管１００×１１４ｍｍ／ＶＵ管１０７×１１４ｍｍ／ＳＵ管１００×１０６ｍｍがある。）ことから、この排気管への嵌挿取付けを確実に行うためには、取付口の口径寸法の異なる複数のフード体を用意するか又は両者の取付けを補助するための継手などを用意しておかなければならない手数がかかっていた。
【０００３】
しかし、これでは材料コストが高くつき、排気管へのフード体の施工工事が経済性を欠くものとして課題となっていた。
【０００４】
【特許文献１】特許第３１３５２０８号公報
【特許文献２】特開２０００−１２０９３８号公報
【特許文献３】特開２００２−８１７０８号公報
【特許文献４】特開２００２−１３０７５７号公報
【特許文献５】特開２００３−２０２１４３号公報
【特許文献６】特開２００４−１２０８６号公報
【発明の開示】
【発明が解決しようとする課題】
【０００５】
そこで、本発明は、前記のように外径寸法の異なる排気管に、フード体を即応して取付け施工することができる構造を、フード体側の開口部に設けておくことによって前記した従来工法の欠点を除去し、経済性の高い換気口を提供することを目的とするものである。
【課題を解決するための手段】
【０００６】
本発明は、適当形状に成るフード体の周縁段部に囲まれた内側部に，中央に開口部を設けたフード体取付板を固着し、このフード体取付板の開口部周囲にはフード体方向に曲折し、円弧面を形成する鍔縁部とこの鍔縁部に全周にわたり適当間隔をおいて鍔縁部の曲折方向より内側斜め立上り角度に成る発条爪を設けて排気管の外周面部に当接せしめるようにし、排気管とフード体取付板の開口部の内周縁との間に前記鍔縁部及び発条爪を含めて形成された間隙部分にコーキングを施し、前記フード体取付板の外壁面側の適当位置にフード体の周縁段部と同高に成る凸起部を設け、前記周縁段部と凸起部の各端面部を外壁面に圧接せしめるように成る換気口である。
【発明の効果】
【０００７】
本発明のフード体における取付板の開口部は、前記のような特殊な構造に成るものであるから、排気管の外径寸法が異なるものであっても、施工者は予め外壁に設置してある排気管に対し屋外方向からフード体をその取付板の開口部を介して嵌挿すると、開口部周囲に曲折し円弧面を形成する鍔縁部とこの鍔縁部に全周にわたり適当間隔をおいて鍔縁部の曲折方向より斜めに立上っている発条爪がそれぞれ弾発力を作用し自在に即応して排気管の外周面部に食い込むように均一に当接して固定するようになる。したがって、これにより工事現場における換気口の取付け施工が円滑かつ確実に行われるようになり、しかも取付け後はフード体固定の弛緩や落下などの現象が起ることはないから安全である。
【０００８】
また、排気管を屋内から屋外にかけて外壁内部で傾斜をつけて施工する場合に起る取付板開口部と排気管との間における開口部周囲の鍔縁部及び適当間隔に設けた発条爪を含めてできた間隙部分は、コーキングによって確実に塞いで固定することができる。
【０００９】
このようなフード体の取付板の構造によって、排気管を取付ける換気口の設置コストを大きく低減することができ、経済的効果も大きい。
【００１０】
また、フード体の取付板は、その周囲の周縁段部及び平ら面に設けた複数の凸起部の端面部を外壁面に圧接することによって抑止力を増し、フード体全体は安定状態を保持して確実に固定されるようになる。
【発明を実施するための最良の形態】
【００１１】
フード体における取付板の開口部に屋内から外壁を通って嵌挿した排気管は、その管の外径に即応して、開口部周囲の鍔縁部とこの鍔縁部の曲折方向から内側斜め立上り角度を有する発条爪が自在に弾発当接して排気管の外周面部に食い込むように固定することになるから、取付ける排気管の外径寸法が異なるものであったとしても、その取付け施工を確実に行うことができるようになる。
【実施例】
【００１２】
１は任意形状に成るフード体で、このフード体の周縁部の内側方向には周縁段部２を曲折形成する。
【００１３】
３は前記フード体１の周縁段部２に囲まれた内側部に固着したフード体取付板で、このフード体取付板には排気管ａが嵌挿する口径を有する開口部４を設ける。
【００１４】
前記フード体取付板３の開口部４には前記フード体取付板３の外側のフード体１方向に曲折する鍔縁部５を形成し、この開口部４の内側周縁部は角面のない円弧面６に成る。
【００１５】
前記鍔縁部５は、フード体取付板３の開口部４の内側の排気管ａ方向に曲折して形成してもよい。
【００１６】
７・・は前記開口部４の鍔縁部５の全周面にわたり適当間隔をおいて内側斜め立上り角度に突設した発条爪で、この発条爪は、開口部４に嵌挿される排気管ａの外径寸法が異なっても、その外周面に弾発力を発揮して当接するようになるとともに停止した位置で排気管の外周面部に食い込むように固定する。
【００１７】
また、開口部４の鍔縁部５が内側方向に形成しているものにあっては、発条爪７・・は開口部４から直接外側斜め方向に突設するようになる。
【００１８】
さらに、開口部４においては、外側又は内側方向への鍔縁部の形成をなくし、外側斜め方向に突設する発条爪７・・の設置だけにしてもよい。
【００１９】
８・は前記フード体取付板３の平ら面の適当位置に前記フード体周縁段部２と同高にして設けた凸起部で、この凸起部及び前記周縁段部２の各端面部は外壁面に圧接するようになる。
【００２０】
９は前記フード体１の開口底面部に設けた格子状の水滴落下板で、これは開閉し得るように成るもので、排気管ａの内周底面部に蓄まったゴミや油脂などの除去のためには、この水滴落下板を開口して指先を入れるようにする。
【００２１】
１０は前記フード体取付板３の下端辺部に前記水滴落下板８方向に設けた任意形状の流水板である。
【００２２】
１１は嵌挿した排気管ａとフード体取付板３の開口部４の内周縁との間に前記鍔縁部５及び発条爪７・・を含めて形成された間隙部分を完全に埋めるコーキング部である。
【図面の簡単な説明】
【００２３】
【図１】フード体の内側方向から見た斜視図
【図２】施工状態時の側断面図
【符号の説明】
【００２４】
１                フード体
２                周縁段部
３                フード体取付板
４                開口部
５                鍔縁部
６                円弧面
７・・            発条爪
８・              凸起部
１１              コーキング部
【図１】
0004763971.tif 000002
【図２】
0004763971.tif 000003